(57)【要約】【課題】  線状体を巻き取る際、その巻き取り量が増えても鍔部の軸穴に亀裂が入って鍔部が破損するようなことがなく、所望のドラム強度と性能を長期間保持し、長寿命のプラスチックドラムを提供する。【解決手段】  プラスチック製の円筒状の巻胴１と、中心に円形の軸穴２ａを有し、巻胴１の両側に巻胴１と同軸状に設けられるプラスチック製の円板状の鍔部２と、巻胴１の内部に該巻胴１を長手方向に貫通して設けられ、巻胴１に分割可能に両鍔部２を締着する複数本の鋼製の通しボルト３とを備えたプラスチックドラムにおいて、前記巻胴１の内部に、両鍔部２の軸穴２ａ部分に両端部２が嵌合により保持される中空軸状補強部材５が軸穴２ａと同軸状に配設される。【選択図】        図１
2006001717.tif 000002
【特許請求の範囲】
【請求項１】
プラスチック製の巻胴と、中心に軸穴を有し、巻胴の両側に設けられるプラスチック製の鍔部とを備えたプラスチックドラムにおいて、前記巻胴の内部に、両鍔部の軸穴部分に両端部が保持される軸状補強部材が配設されることを特徴とするプラスチックドラム。
【請求項２】
前記軸状補強部材の端部が鍔部の軸穴部分に嵌合により保持されることを特徴とする請求項１記載のプラスチックドラム。
【請求項３】
前記軸状補強部材が中空軸状補強部材で形成され、軸穴と同軸状に配設されることを特徴とする請求項１又は２記載のプラスチックドラム。
【請求項４】
前記中空軸状補強部材が分割体で形成されることを特徴とする請求項３記載のプラスチックドラム。
【請求項５】
前記中空軸状補強部材の端部が鍔部の軸穴に嵌合し、その端部の先端が鍔部の外側面以上に露出するように保持されることを特徴とする請求項３又は４記載のプラスチックドラム。
【発明の詳細な説明】
【技術分野】
【０００１】
本発明は電線その他の線状体の保管、運搬、輸送、線状体の成形加工、布設等の際、線状体の送出、巻取等に使用されるプラスチックドラム（リール、ボビン等の巻き枠を含む）に関するものである。
【背景技術】
【０００２】
近年、線状体の保管、輸送等に使用される木製、金属製ドラムに代わり、軽量、小型で保管、輸送等に便利なほか、再利用も容易で、資源の節約、有効利用を促進させることができるプラスチックドラムが多く使用されるようになっている。
【０００３】
従来のプラスチックドラムは、図４、５に示すように、プラスチック製の円筒状の巻胴１と、中心に円形の軸穴２ａを有し、巻胴１の左右両側に設けられるプラスチック製の円板状の鍔部２と、巻胴１の内部に該巻胴１を長手方向に貫通して設けられ、巻胴１に両鍔部２を分割可能に締着する複数本、例えば、４本の鋼製の通しボルト３とを備えた構成になっている（特許文献１参照）。
【０００４】
【特許文献１】特開２００３−２６７６３３号公報（発明の詳細な説明の段落番号０００２、図１０、１１）
【発明の開示】
【発明が解決しようとする課題】
【０００５】
従来のプラスチックドラムに電線等の線状体Ｗを巻き取って収納する場合には、図６に示すように、ドラム支持軸４の先端に、支持ピン４２の後部に円形フランジ４３を同軸状に突設させたドラム押え部材４１を取り付けておき、左右のドラム支持軸４を接近移動させ、そのドラム押え部材４１の支持ピン４２をプラスチックドラムの鍔部２の軸穴２ａに挿着すると共に、円形フランジ４３を鍔部２に横方向から押し付けることにより、ドラム支持軸４でプラスチックドラムを支持し、ドラム支持軸４の回転駆動でプラスチックドラムを回転させ、巻胴１の外周に線状体Ｗを巻き取ることにより行う。しかしながら、プラスチックドラムは、線状体Ｗの巻き取りが進行するに伴い、巻き取られた線状体Ｗの側圧力によって、プラスチック製の鍔部２が図６に示すように、外側方に弓なり状に反り返り易い。そうすると、このような鍔部２の反りで、鍔部２の軸穴２ａ部分に荷重が集中し、軸穴２ａの内周面に図７に示すような亀裂（クラック）Ｃが生じて鍔部２が破損し、ドラム強度が低下して、プラスチックドラムの寿命が短くなるという問題があった。
【０００６】
本発明は上記の事情に鑑みてなされたもので、本発明の目的は線状体を巻き取る際、その巻き取り量が増えても鍔部の軸穴に亀裂が入って鍔部が破損するようなことがなく、所望のドラム強度と性能を長期間保持し、長寿命のプラスチックドラムを提供することにある。
【課題を解決するための手段】
【０００７】
上記目的を達成するために、本発明の請求項１に記載された発明は、プラスチック製の巻胴と、中心に軸穴を有し、巻胴の両側に設けられるプラスチック製の鍔部とを備えたプラスチックドラムにおいて、前記巻胴の内部に、両鍔部の軸穴部分に両端部が保持される軸状補強部材が配設されることを特徴とするものである。
【０００８】
本発明の請求項２に記載された発明は、請求項１記載のプラスチックドラムにおいて、前記軸状補強部材の端部が鍔部の軸穴部分に嵌合により保持されることを特徴とするものである。
【０００９】
本発明の請求項３に記載された発明は、請求項１又は２記載のプラスチックドラムにおいて、前記軸状補強部材が中空軸状補強部材で形成され、軸穴と同軸状に配設されることを特徴とするものである。
【００１０】
本発明の請求項４に記載された発明は、請求項３記載のプラスチックドラムにおいて、前記中空軸状補強部材が分割体で形成されることを特徴とするものである。
【００１１】
本発明の請求項５に記載された発明は、請求項３又は４記載のプラスチックドラムにおいて、前記中空軸状補強部材の端部が鍔部の軸穴に嵌合し、その端部の先端が鍔部の外側面以上に露出するように保持されることを特徴とするものである。
【発明の効果】
【００１２】
本発明の請求項１記載のプラスチックドラムによると、線状体の巻き取りの進行に伴って生じる線状体の側圧力により、プラスチック製の鍔部が外側方に弓なり状に反っても、鍔部に作用する荷重が軸穴部分に両端部が保持される軸状補強部材の方に集中的に作用するので、両鍔部の軸穴部分に過大な集中荷重が作用せず、軸穴部分に許容限界を超える変形が生じなくなる。その結果、軸穴の内周面に亀裂が入って鍔部が破損することがなくなり、所望のドラム強度と性能を長期間保持し、寿命を延ばすことができる。
【００１３】
本発明の請求項２記載のプラスチックドラムによると、軸状補強部材を鍔部の軸穴部分に保持させることが容易になり、プラスチックドラムの組立作業性を向上させることができる。
【００１４】
本発明の請求項３記載のプラスチックドラムによると、軸状補強部材が軽量になるので、プラスチックドラムの運搬（ハンドリング）、輸送が容易になる。またドラム再利用（リユース）のために該ドラムが屋外等に放置されている間等において、空缶その他のゴミ類が軸穴から巻胴内に放り込まれても、中空軸状補強部材内の狭いスペース内に堆積されるだけであり、取り出しの面倒な巻胴内の奥深い個所まで放り込まれて多量に堆積されることがなくなる。従って、巻胴内に堆積されるゴミ類の堆積量が少なくなるほか、堆積されたゴミ類の取り出しが容易になり、プラスチックドラムを常時清潔な状態で保管することができ、且つ、迅速に再利用することができる。
【００１５】
本発明の請求項４記載のプラスチックドラムによると、中空軸状補強部材を成形の容易な複数の分割片に分割して成形し、これら分割片を組み合わせて形成することが可能になるので、中空軸状補強部材の形成が容易で形成費用が低減され、ドラムコストを安くすることができる。
【００１６】
本発明の請求項５記載のプラスチックドラムによると、鍔部の軸穴部分が中空軸状補強部材でより強固に補強されるので、鍔部の破損をより確実に防止することができる。また、鍔部により大きな側圧力が作用した場合には、鍔部よりも過大な集中荷重が作用する中空軸状補強部材が安全ピン的な役割をして破損するので、製造が容易で安価に支給可能な中空軸状補強部材を交換して対応することが可能になり、保守も容易である。
【発明を実施するための最良の形態】
【００１７】
次に、本発明の構成を図面により詳細に説明する。図１は本発明に係るプラスチックドラムの一実施形態を示す断面図である。なお、従来のドラムと同一構成のものには同一符号を用いている。
【００１８】
本実施形態のプラスチックドラムは、同図に示すように、プラスチック製の円筒状の巻胴１と、中心に円形の軸穴２ａを有し、巻胴１の左右両側に巻胴１と同軸状に設けられるプラスチック製の円板状の鍔部２と、巻胴１の内部に該巻胴１を長手方向に貫通して設けられ、巻胴１に分割可能に両鍔部２を締着する複数本、例えば、４本の鋼製の通しボルト３とを備え、前記巻胴１の内部に、両鍔部２の軸穴２ａ部分（軸穴２ａ近傍の周辺を含む。以下同じ）に両端部が保持される軸状補強部材、例えば、円筒状補強スリーブ等の中空軸状補強部材５が軸穴２ａと同軸状に配設される。
【００１９】
巻胴１及び鍔部２は、例えば、ポリエチレン、ポリプロピレン、ぽり塩化ビニル、エチレン酢酸ビニルコポリマ等の種々のプラスチック材料（廃プラスチック材料を含む。以下同じ）を成形加工して形成される。両鍔部２は内側面に中心に形成された軸穴２ａと同心状に巻胴１の両側部が嵌合される円周溝２ｂが形成され、また、円周溝２ｂの内側に位置し、軸穴２ａと同心状で、円周方向に９０度間隔をおいて４個のボルト通し穴２ｃが形成されている。更に、両鍔部２の軸穴２ａの内側部には軸穴２ａの内径よりも大径の円形溝からなる拡径段部２ｄが形成される。
【００２０】
一方、中空軸状補強部材５は、前記巻胴１及び鍔部２と同様なプラスチック材料、繊維強化プラスチック材料（ＦＲＰ）、又は、アルミニウム、鋼等の金属材料を成形加工して形成される中空軸状補強部材５の両端部には、中間部よりも小径として前記軸穴２ａの内側部に形成された拡径段部２ｄに嵌合により保持される円形状の縮径段部５ａが形成される。
【００２１】
本実施形態のプラスチックドラムは上記のような構成になっている。このプラスチックドラムは、両鍔部２の軸穴２ａの内側部に形成された拡径段部２ｄに中空軸状補強部材５の両端部に形成された縮径段部５ａを嵌合させて保持すると共に、両鍔部２の円周溝２ｂに巻胴１の両側部を嵌合させ、両鍔部２の４個のボルト通し穴２ｃに４本の通しボルト３を貫通させ、通しボルト３のナット（図示せず）を回して、通しボルト３で両鍔部２を巻胴１に着脱自在に締着することにより組み立てられる。
【００２２】
なお、鍔部２の軸穴２ａ部分に両端部が保持される前記中空軸状補強部材５は軸穴２ａの中心軸線と平行に１本、又は複数本周方向に沿って配設することが可能である。また、軸状補強部材は前記中空軸状補強部材５の代わりに円形補強棒等の中実軸状補強部材（図示せず）で形成し、これを軸穴２ａの中心軸線と同軸状に、又は、該中心軸線と平行に１本、又は複数本周方向に沿って配設することも可能である。
【００２３】
更に、軸状補強部材（中空軸状補強部材５又は中実軸状補強部材）の端部は鍔部２の軸穴２ａ部分に嵌合により保持せず、鍔部２の軸穴２ａ部分にボルト、ねじの締着部材や接着剤等で固定して保持してもよい。また、軸状補強部材の端部を軸穴２ａ部分に嵌合により保持する場合でも、その保持を強固にするために必要に応じて、軸状補強部材の端部を嵌合後、軸穴２ａ部分にボルト、ねじ等の締着部材や接着剤等で固定するようにしてもよい。
【００２４】
本実施形態のプラスチックドラムによると、線状体Ｗの巻き取りの進行に伴って生じる線状体Ｗの側圧力により、プラスチック製の鍔部２が外側方に弓なり状に反っても、鍔部２に作用する荷重が軸穴２ａ部分に両端部が保持される軸状補強部材の方に集中的に作用するので、両鍔部２の軸穴２ａ部分に過大な集中荷重が作用せず、軸穴２ａ部分に許容限界を超える変形が生じなくなる。その結果、軸穴２ａの内周面に亀裂が入って鍔部２が破損することがなくなり、所望のドラム強度と性能を長期間保持し、寿命を延ばすことができる。
【００２５】
本実施形態のプラスチックドラムのように、軸状補強部材の端部が鍔部２の軸穴２ａ部分に嵌合により保持されていると、軸状補強部材を鍔部２の軸穴２ａ部分に保持させることが容易になり、プラスチックドラムの組立作業性を向上させることができる。
【００２６】
また、本実施形態のように、前記軸状補強部材が中空軸状補強部材５で形成され、軸穴２ａと同軸状に配設されていると、軸状補強部材が軽量になるので、プラスチックドラムの運搬（ハンドリング）、輸送が容易になる。また、ドラム再利用（リユース）のために該ドラムが屋外等に放置されている間等において、空缶その他のゴミ類が軸穴２ａから巻胴１内に放り込まれても、中空軸状補強部材５内の狭いスペース内に堆積されるだけであり、取り出しの面倒な巻胴１内の奥深い個所まで放り込まれて多量に堆積されることがなくなる。従って、巻胴１内に堆積されるゴミ類の堆積量が少なくなるほか、堆積されたゴミ類の取り出しが容易になり、プラスチックドラムを常時清潔な状態で保管することができ、且つ、迅速に再利用することができる。
【００２７】
図２に示すものは、軸状補強部材を構成する中空軸状補強部材６が、例えば、２個の横断面半円弧状の分割片６ａを円筒状に組み合わせた二つ割り分割体で形成されるものである。この際、２個の半円弧状の分割片６ａの対向する端縁相互は突き合わされ、接着剤等により接合され、形成された中空軸状補強部材６が解体しないようになっている。この中空軸状補強部材６の両端部は、中空軸状補強部材５のような縮径段部５ａが形成されず、中間部と同径であり、プラスチックドラムを組み立てるとき、その両端部が両鍔部２の軸穴２ａの内側部に形成された拡径段部２ｄに嵌合して保持される。
【００２８】
このように軸状補強部材が中空軸状補強部材６のように分割体で形成されていると、中空軸状補強部材６を成形の容易な複数の分割片６ａに分割して成形し、これら分割片６ａを組み合わせて形成することが可能になるので、中空軸状補強部材６の形成が容易で形成費用が低減され、ドラムコストを安くすることができる。
【００２９】
図３に示すものは、前記中空軸状補強部材５の端部に形成された縮径段部５ａが鍔部２の軸穴２ａに嵌合し、その先端が鍔部２の外側面の部位まで露出するように保持されるものである。なお、中空軸状補強部材５の端部の先端は、鍔部２の外側面よりも更に外方へ突出して露出するように保持されるようにしてもよい。また、前記中空軸状補強部材６にも同様に適用可能である。
【００３０】
このように、前記中空軸状補強部材５、６の端部が鍔部２の軸穴２ａに嵌合し、その端部の先端が鍔部２の外側面以上に露出するように保持されていると、鍔部２の軸穴２ａ部分が中空軸状補強部材５、６でより強固に補強されるので、鍔部２の破損をより確実に防止することができる。また、鍔部２により大きな側圧力が作用した場合には、鍔部２よりも過大な集中荷重が作用する中空軸状補強部材５、６が安全ピン的な役割をして破損するので、製造が容易で安価に支給可能な中空軸状補強部材５、６を交換して対応することが可能になり、保守も容易である。
【図面の簡単な説明】
【００３１】
【図１】本発明に係るプラスチックドラムの一実施形態を示す断面図である。
【図２】図１のドラムにおける中空軸状補強部材の変形例を示す分解斜視図である。
【図３】図１のドラムの中空軸状補強部材を鍔部の軸穴に嵌合する状態の変形例を示す部分的断面図である。
【図４】従来のプラスチックドラムを示す斜視図である。
【図５】図４の縦断面図である。
【図６】図４のドラムへの線状体の巻き取りが進行するに伴い、鍔部が外側方に弓なり状に反ってくる状態の説明図である。
【図７】図６における鍔部の外側方への反りで、鍔部の軸穴にクラックが入った状態を示す概要図である。
【符号の説明】
【００３２】
１      巻胴
２      鍔部
２ａ    軸穴
２ｂ    円周溝
２ｃ    ボルト通し穴
２ｄ    拡径段部
３      通しボルト
４      ドラム支持軸
４１    ドラム押え部材
４２    支持ピン
４３    円形フランジ
５      中空軸状補強部材
５ａ    縮径段部
６      中空軸状補強部材
６ａ    分割片
Ｗ      線状体
Ｃ      クラック
【図１】
2006001717.tif 000003
【図２】
2006001717.tif 000004
【図３】
2006001717.tif 000005
【図４】
2006001717.tif 000006
【図５】
2006001717.tif 000007
【図６】
2006001717.tif 000008
【図７】
2006001717.tif 000009
【手続補正書】
【提出日】平成16年6月22日(2004.6.22)
【手続補正１】
【補正対象書類名】図面
【補正対象項目名】図６
【補正方法】変更
【補正の内容】
【図６】
2006001717.tif 000010